(57)【要約】      （修正有）【課題】原水の水質に応じて、サイフォン促進機構の使用又は不使用の切り替えのできる濾過装置の提供。【解決手段】原水を収容しつつ、原水を濾過する濾過室２１ａと、濾過室と連通され、濾過水を集水する集水室２１ｂと、逆洗水を貯留するとともに、前記逆洗水を集水室経由で濾過室に供給する逆洗水室２１ｃと、濾過室の原水を外部に排出させることにより、逆洗水を濾過室に流入させて、濾過室を洗浄する逆洗サイフォン管２５と、逆洗サイフォン管の濾過室の開口端部から頂部までの間に接続されて、原水を外部に排出させるサイフォン促進管２７ａを有し、サイフォン促進管から原水を排出するときに生じるエジェクタ効果によって、逆洗サイフォン管の頂部２５ａから逆洗サイフォン管内の空気を排出するように構成されたサイフォン促進機構２７と、を備え、サイフォン促進管が、管路を開閉するための開閉弁２７ａ１を有する濾過装置２０。【選択図】図１
2018134595.tif 000002
【特許請求の範囲】
【請求項１】
原水を収容しつつ、収容した原水を濾過する濾過部と、
前記濾過部と連通され、前記濾過部で濾過されることにより得られる濾過水を集水する集水部と、
逆洗水を貯留するとともに、前記集水部と連通されて、前記逆洗水を前記集水部経由で前記濾過部に供給する貯留部と、
前記濾過部に接続されて、前記濾過部内の原水を外部に排出させることにより、前記逆洗水を前記濾過部に流入させて、前記濾過部を洗浄する逆洗サイフォン管と、
逆洗サイフォン管の濾過部側の開口端部から頂部までの間に接続されて、前記原水を外部に排出させるサイフォン促進管を有し、前記サイフォン促進管から前記原水を排出するときに生じるエジェクタ効果によって、前記逆洗サイフォン管の頂部から前記逆洗サイフォン管内の空気を排出するように構成されたサイフォン促進機構と、を備え、
前記サイフォン促進管は、管路を開閉するための開閉弁を有する、
濾過装置。
【請求項２】
前記サイフォン促進機構は、前記逆洗サイフォン管の高さの異なる位置に接続される複数本のサイフォン促進管を備え、
前記複数本のサイフォン促進管は、管路を開閉するための開閉弁をそれぞれ有する、
請求項１に記載の濾過装置。
【請求項３】
請求項１または２に記載の濾過装置を備える水処理設備。
【発明の詳細な説明】
【技術分野】
【０００１】
本発明は、逆洗サイフォン管と、サイフォン促進管を有するサイフォン促進機構とを備える濾過装置、および該濾過装置を備える水処理設備に関する。
【背景技術】
【０００２】
従来、逆洗サイフォン管と、サイフォン促進管を有するサイフォン促進機構とを備える濾過装置として、例えば、特許文献１に示したような重力式濾過装置が知られている。
【０００３】
特許文献１に記載の濾過装置においては、原水を収容しつつ、収容した原水を濾過する濾過部と、該濾過部と連通されて、濾過部で濾過されることにより得られる濾過水を集水する集水部と、逆洗水を貯留するとともに、集水部と連通されて、前記逆洗水を前記集水部経由で前記濾過部に供給する貯留部とが一つの密閉型の槽内に配されている。詳しくは、槽の底部から、前記集水部、前記濾過部、前記貯留部の順に配されている。そして、前記集水部と前記濾過部、および前記集水部と前記貯留部とが流体連通されている。
【０００４】
また、上記濾過装置においては、前記濾過部の上部には逆洗サイフォン管が接続されている。該逆洗サイフォン管は、前記濾過部内の原水を外部に排出させることにより、前記濾過部内の水圧を下げ、これにより、逆洗水を濾過部に流入させて、該逆洗水により前記濾過部を洗浄するようになっている。該逆洗サイフォン管は、前記濾過部との接続位置から上方に延び、最上部から下方に延びるように配されている。
【０００５】
さらに、上記濾過装置においては、前記逆洗サイフォン管によるサイフォン効果の発現を促進させるサイフォン促進機構が備えられている。該サイフォン促進機構は、前記原水を外部に排出させるサイフォン促進管を有していて、該サイフォン促進管から前記原水を排出するときに生じるエジェクタ効果によって、前記逆洗サイフォン管の頂部から前記逆洗サイフォン管内の空気を排出するように構成されている。
そして、前記サイフォン促進機構においては、前記逆洗サイフォン管内の空気を排出することにより前記逆洗サイフォン管内を負圧にし、該負圧によって前記逆洗サイフォン管の水位の上昇を促進させて、前記逆洗サイフォン管のサイフォン効果の発現を促進している。
【先行技術文献】
【特許文献】
【０００６】
【特許文献１】特公昭３８−０２２５４５号公報
【発明の概要】
【発明が解決しようとする課題】
【０００７】
ところで、濾過部に供給される原水の水質が比較的良好の場合、すなわち、原水中の懸濁物質の濃度が低い場合には、濾過部に配された濾層が懸濁物質により目詰まりしにくいため、逆洗サイフォン管内の原水の水位が上昇しにくく、逆洗サイフォン管によるサイフォン効果の発現に比較的時間を要するようになる。このような場合、原水中の懸濁物質が濾層中に入り込むようになるため、逆洗サイフォン管によるサイフォン効果を発現させて濾層を洗浄したとしても、濾層の濾過能力は回復しにくくなる。
そのため、原水の水質が比較的良好の場合には、サイフォン促進機構により逆洗サイフォン管のサイフォン効果の発現を促進させて、濾層の洗浄を早めることが望ましい。
【０００８】
一方で、濾過部に供給される原水の水質が比較的不良の場合、すなわち、原水中の懸濁物質の濃度が高い場合には、濾過部の濾層が懸濁物質により目詰まりし易くなるため、逆洗サイフォン管内の原水の水位が上昇し易い。このような場合、サイフォン促進機構によって逆洗サイフォン管のサイフォン効果の発現を促進させると、濾層の洗浄サイクルが早められることになって、１サイクル当たりで取得できる濾過水の量が少なくなるため望ましくない。
【０００９】
このような事情に鑑み、本発明は、原水の水質に応じて、サイフォン促進機構の使用または不使用を切り替えることができる濾過装置、および該濾過装置を備える水処理設備を提供することを課題とする。
【課題を解決するための手段】
【００１０】
本発明に係る濾過装置は、
原水を収容しつつ、収容した原水を濾過する濾過部と、
前記濾過部と連通され、前記濾過部で濾過されることにより得られる濾過水を集水する集水部と、
逆洗水を貯留するとともに、前記集水部と連通されて、前記逆洗水を前記集水部経由で前記濾過部に供給する貯留部と、
前記濾過部に接続されて、前記濾過部内の原水を外部に排出させることにより、前記逆洗水を前記濾過部に流入させて、前記濾過部を洗浄する逆洗サイフォン管と、
前記逆洗サイフォン管の濾過部側の開口端部から頂部までの間に接続されて、前記原水を外部に排出させるサイフォン促進管を有し、前記サイフォン促進管から前記原水を排出するときに生じるエジェクタ効果によって、前記逆洗サイフォン管の頂部から前記逆洗サイフォン管内の空気を排出するように構成されたサイフォン促進機構と、を備え、
前記サイフォン促進管は、管路を開閉するための開閉弁を有する。
【００１１】
斯かる構成によれば、サイフォン促進管に、管路を開閉するための開閉弁が備えられているため、該開閉弁により、濾過部に導入される原水の水質に応じて、サイフォン促進管の管路を開状態または閉状態にすることができる。
すわなち、原水の水質が比較的良好な場合には、開閉弁によって、サイフォン促進管の管路を開状態にし、サイフォン促進管を経由して原水が外部に排出することを促進することにより、サイフォン促進機構によるエジェクタ効果を発現させて、濾過部の洗浄を早めることができる。これにより、原水中の懸濁物質が濾過部の濾層中に入り込むことを抑制できるため、濾層の濾過能力の低下を抑制することができる。
また、原水の水質が比較的不良の場合には、開閉弁によって、サイフォン促進管の管路を閉状態にし、サイフォン促進管を経由して原水が外部に排出することを阻止することにより、サイフォン促進機構によるエジェクタ効果を発現させずに、濾過部の洗浄を早めることを抑制することができる。これにより、濾過部の洗浄サイクルが早められることによって、１サイクル当たりで取得できる濾過水の量が低減することを抑制することができる。
以上により、原水の水質に応じて、サイフォン促進機構の使用または不使用を切り替えることができる。
【００１２】
また、上記濾過装置においては、前記サイフォン促進機構は、前記逆洗サイフォン管の高さの異なる位置に接続される複数本のサイフォン促進管を備え、
前記複数本のサイフォン促進管は、管路を開閉するための開閉弁をそれぞれ有していてもよい。
【００１３】
斯かる構成によれば、原水の水質の不良の程度に応じて、濾過部の洗浄タイミングに適したサイフォン促進管のみを開状態にし、それ以外のサイフォン促進管を閉状態にすることができる。
これにより、原水の水質に応じて、濾過部を洗浄するタイミングをより適切に切り替えることができる。
【００１４】
本発明に係る水処理設備は、上記濾過設備を備えていてもよい。
【００１５】
斯かる構成によれば、サイフォン促進管が有する開閉弁により、濾過装置の濾過部に導入される原水の水質に応じて、サイフォン促進管の管路を開状態または閉状態にすることができる。
【発明の効果】
【００１６】
以上のように、本発明によれば、原水の水質に応じて、サイフォン促進機構の使用または不使用を切り替えることができる濾過装置、および該濾過装置を備える水処理設備が提供される。
【図面の簡単な説明】
【００１７】
【図１】本発明の一実施形態に係る濾過装置を備える水処理設備の概略図。
【図２】本発明の他の実施形態に係る濾過装置を備える水処理設備の概略図。
【発明を実施するための形態】
【００１８】
以下、本発明に係る濾過装置を備える水処理設備の実施形態について、図面を参照しながら説明する。
図１は、本発明の一実施形態に係る濾過装置を備える水処理設備の概略図であり、図に示すように、以下においては濾過装置が重力式濾過装置である場合を例にして、本発明の水処理設備の実施形態について説明する。
【００１９】
本実施形態に係る水処理設備１は、図１に示すように、外部から供給される原水を貯める原水槽１０と、原水槽１０に貯留されている原水を濾過する濾過装置２０とを備えている。
本実施形態に係る水処理設備１は、原水槽１０から濾過装置２０に原水を導入するための原水導入管３０を備えている。
本実施形態に係る濾過装置２０は、濾過性能が低下した際に自動的に逆洗が実施される自動サイフォンフィルタ方式の濾過装置である。
そして、本実施形態に係る水処理設備１は、この逆洗における洗浄排水を系外に排出する前に一旦貯留する排水槽４０を備えている。
【００２０】
濾過装置２０は、濾過する原水や該原水を濾過することにより得られる濾過水を貯留するための槽本体２１（以下、濾過槽本体２１ともいう）を有している。
濾過槽本体２１は、原水を収容しつつ、収容した原水を濾過するための濾過部としての濾過室２１ａと、濾過室２１ａの下方に配されて、濾過室２１ａで濾過することによって得られる濾過水を集水する集水部としての集水室２１ｂと、を備えている。濾過室２１ａは、下部に濾層２１ａ１を備えている。
また、濾過槽本体２１は、濾層２１ａ１を逆洗する逆洗水を収容するための貯留部としての逆洗水室２１ｃをさらに備え、逆洗水室２１ｃが濾過室２１ａの上部に設けられている。
【００２１】
原水槽１０は、ポンプなどの搬送動力を使用せずに重力の作用によって原水を濾過装置２０に供給し得るように設置されていて、鉛直方向における位置が、濾過槽本体２１の濾過室２１ａ、逆洗水室２１ｃよりも内部の水位が上位になるように設置されている。
本実施形態に係る原水槽１０は、原水導入管３０を介して濾過室２１ａに接続されている。原水導入管３０の一端部は、原水槽１０の底面を貫通して原水槽１０内に配されている。原水槽１０において、原水導入管３０の一端部は、原水槽１０内の水面付近において上向きに開口し、円筒堰の状態となって、原水槽１０内の原水を流入させ得るようになっている。
【００２２】
本実施形態に係る原水槽１０は、複数の濾過装置に原水を供給し得るように構成されていて、複数の原水導入管３０は原水槽１０内に配した上端の鉛直方向における位置を共通させている。
これにより、本実施形態に係る原水槽１０は、複数の原水導入管３０に略均等に原水を供給し得るようになっている。
【００２３】
本実施形態に係る原水槽１０は、上面開放されたものとなっている。
【００２４】
原水導入管３０は、原水槽１０内に配される一端部から鉛直下方に延在し、濾過装置２０の底部よりも上方の位置でＵターンした後、屈曲して水平方向に延在するように構成されていて、水平方向に延在する原水導入管３０の他端部は、濾過装置２０の濾過室２１ａと接続されている。
【００２５】
原水槽１０より原水が供給されて濾過が行われる濾過装置２０は、前記のように濾過槽本体２１が下から集水室２１ｂ、濾過室２１ａ、逆洗水室２１ｃの順となる３階層となっている。
濾過槽本体２１は、竪筒状（円筒状または多角形筒状あるいはその他の筒状）の側壁と該側壁の下部開口を閉塞する底壁と前記側壁の上部開口を閉塞する天井壁とを有しており、前記底壁近くにおいて内部空間が濾層２１ａ１によって上下に仕切られている。
濾過室２１ａとその下方に設けられた集水室２１ｂとの間が濾層２１ａ１によって仕切られて両者間が通水可能な状態になっている一方で、濾過室２１ａとその上方に形成された逆洗水室２１ｃとの間は非透水性の仕切壁で仕切られている。
【００２６】
本実施形態における濾層２１ａ１は、粒状の濾材２１ａ１ａにより形成されている。
粒状の濾材２１ａ１ａとしては、例えば、水道用基準濾砂が挙げられ、より具体的には、例えば、アンスラサイト、マンガン砂、活性炭などが挙げられる。
濾層２１ａ１は、濾材２１ａ１ａを支持する板状体であり、板面が略水平となるように濾材２１ａ１ａの下方側に配された支持板２１ａ１ｂと、支持板２１ａ１ｂの上側に配された複数の通水部材２１ａ１ｃとを備えている。
支持板２１ａ１ｂには、上下に貫通する孔が複数箇所に形成されている。
通水部材２１ａ１ｃは、支持板２１ａ１ｂの孔を上から覆うように配されている。
支持板２１ａ１ｂは、孔の径が濾材よりも大きく、該孔が濾材よりも細かな通水孔を有する通水部材２１ａ１ｃで覆われることによって濾材の通過が阻止されている。
複数の孔が形成された支持板２１ａ１ｂと、該孔が形成された部分に配された複数の通水部材２１ａ１ｃとによれば、濾過および逆洗において、濾過室２１ａと集水室２１ｂとの間にて水を流通させることができる。
本実施形態における通水部材２１ａ１ｃは、円盤状に形成されたディスクストレーナを備え、積み重ねられた複数枚（例えば、８〜１５枚）のディスクストレーナによって形成されている
通水部材２１ａ１ｃは、上下方向に水が通り、隙間等から粒状の濾材が通過しないように複数のディスクストレーナが積み重ねられて構成されている。
【００２７】
濾過装置２０は、集水室２１ｂと逆洗水室２１ｃとを連通させる連通管２３と、集水室２１ｂから濾過水を系外に流出させるための濾過水排出管２４とをさらに有している。
【００２８】
連通管２３は、鉛直方向に沿って延在する管体であり、上端開口部を逆洗水室２１ｃの底部に配し、下端開口部を集水室２１ｂに配している。
濾過水排出管２４は、連通管２３と同様に鉛直方向に沿って延在する管体であり、連通管２３の開口位置よりも上方に向けて延在し、濾過槽本体２１の天井壁近傍において側壁に向かって分岐した分岐管２４ａを有し、分岐管２４ａが側壁を貫通して濾過槽本体２１の外部に濾過水を排出し得るように形成されている。
【００２９】
本実施形態における濾過装置２０は、原水槽１０が分岐管２４ａよりも上位に配されていて、原水槽１０から原水導入管３０に流入された原水の水頭圧により集水室２１ｂから濾過水排出管２４に流入させた濾過水の水位を押し上げて該濾過水を、分岐管２４ａを通じて系外に排出し得るように形成されている。
また、本実施形態における濾過装置２０は、原水の水頭圧によって連通管２３を通じて濾過水を逆洗水室２１ｃに収容させ得るように形成されている。
すなわち、濾過装置２０は、通常時における逆洗水室２１ｃの水位が、分岐管２４ａと略同様の位置となるように形成されている。
【００３０】
本実施形態における濾過装置２０は、濾過室２１ａから上方に向けて延在し、濾過槽本体２１の天井壁を貫通して分岐管２４ａよりも上位、かつ原水槽１０よりも下位となる位置で下方に向けてＵターンした逆洗サイフォン管２５をさらに備えている。
【００３１】
逆洗サイフォン管２５は、頂部２５ａにおいてＵターンした後の下降部（以下、逆洗サイフォン管下降部２５ｂともいう）が濾過槽本体２１の外部において下降しており、逆洗サイフォン管下降部２５ｂの下端が排水槽４０の槽内水に突入している。
逆洗サイフォン管２５の頂部２５ａには、サイフォンブレーカとして機能する配管２６（以下、サイフォンブレーカ２６ともいう）の一端部が接続されていて、該配管２６は、濾過槽本体２１の天井壁を貫通して、他端部が逆洗水室２１ｃの底部に位置するように配されている。
なお、本実施形態における濾過装置２０は、通常運転時には、逆洗サイフォン管２５が頂部２５ａに向けて上昇している部位（以下、逆洗サイフォン管上昇部２５ｃともいう）における水位が、逆洗水室２１ｃよりも高くなる。
【００３２】
逆洗サイフォン管２５と逆洗水室２１ｃとの水位差Ｈは、濾層２１ａ１を通過する原水の抵抗によって生じる。
そのため、濾層２１ａ１に懸濁物質が付着するなどして原水の通過抵抗が上昇するに従って、逆洗サイフォン管２５の水位が上昇する。
逆洗サイフォン管２５の水位が頂部２５ａを越えて原水が逆洗サイフォン管下降部２５ｂを通じて下降し始めると、サイフォン効果によって濾過室２１ａの水が排水槽４０へと流れ出し、排水ピット４１より系外に放出される。
このようにして逆洗サイフォン管２５を通じて濾過室２１ａから原水が汲み上げられるのと同時に集水室２１ｂの濾過水が濾層２１ａ１を通じて濾過室２１ａへと移動し、濾層２１ａ１の逆洗を行う。
それとともに、連通管２３を通じて逆洗水室２１ｃの水は、集水室２１ｂへと入り込み、逆洗を継続させる。
そして、逆洗水室２１ｃの水位が、サイフォンブレーカ２６の他端部よりも下位となってサイフォンブレーカ２６に下端２６ａ側から空気が入り込むようになると逆洗サイフォン管下降部２５ｂを落下する水はサイフォンブレーカ２６からの空気を誘引し、逆洗サイフォン管上昇部２５ｃの水は逆戻りして濾過室２１ａへと落下して、通常の濾過運転へと復帰する。
この通常の濾過運転に復帰するまでの一連の動作において濾層２１ａ１は濾過水で逆洗されるため、濾過性能が復元される。
【００３３】
本実施形態における濾過装置２０には、逆洗サイフォン管２５によるサイフォン効果の発現を促進するためのサイフォン促進機構２７が備えられている。
サイフォン促進機構２７は、濾過室２１ａの原水を外部に排出させるサイフォン促進管２７ａを有していて、サイフォン促進管２７ａから前記原水を外部に排出するときに生じるエジェクタ効果によって、逆洗サイフォン管２５の頂部２５ａから逆洗サイフォン管２５内の空気を抜くように構成されている。
本実施形態においては、サイフォン促進機構２７は、サイフォン促進管２７ａと、逆洗サイフォン管２５内の空気を外部に排出させる吸込管２７ｂとを備えている。
サイフォン促進管２７ａは、水平方向に延在する水平延在部と、該水平延在部の端部から下方に延在する下方延在部とを有していて、下方延在部の端部は、排水槽４０内に進入している。
吸込管２７ｂは、一端部が逆洗サイフォン管２５の頂部２５ａに接続され、他端部がサイフォン促進管２７ａの下方延在部に接続されている。
サイフォン促進機構２７は、サイフォン促進管２７ａと吸込管２７ｂとを接続する通気管２７ｃをさらに備えている。
サイフォン促進機構２７が、通気管２７ｃを備えることにより、サイフォン促進管２７ａ内の空気を抜くことができるので、濾過室２１ａ内の原水をサイフォン促進管２７ａ内に効率良く供給することができる。
【００３４】
このように構成されたサイフォン促進機構２７においては、逆洗サイフォン管２５内の原水は、頂部２５ａに達する前に、逆洗サイフォン管２５とサイフォン促進管２７ａとの接続箇所に到達した時点で、サイフォン促進管２７ａを通って排水槽４０へと落下する。
このとき、吸込管２７ｂはエジェクタ効果によって負圧化されるため、逆洗サイフォン管２５内の空気が吸込管２７ｂを経由して外部に排出される。
これにより、逆洗サイフォン管２５の水位が頂部２５ａに到達し易くなる。
すなわち、本実施形態における濾過装置２０は、逆洗サイフォン管２５によるサイフォン効果の発現が、サイフォン促進機構２７によって補助されるものとなっている。
【００３５】
サイフォン促進管２７ａは、管路を開閉するための開閉弁２７ａ１を有している。開閉弁２７ａ１は、濾過室２１ａで濾過すべき原水の水質に応じて、サイフォン促進管２７ａの管路を開状態または閉状態にする。開閉弁２７ａ１としては、手動式のものまたは自動式のもののいずれでも用いることができる。弁の開閉を操作する人手を不要とする点から、開閉弁２７ａ１としては、自動式のものを用いることが好ましい。
また、自動弁と手動弁とを組み合わせて開閉弁２７ａ１としてもよい。このような場合、水平延在部において、自動弁よりも逆洗サイフォン管２５側に、手動弁を配することが好ましい。このようにすれば、自動弁をメンテナンスする際に、手動弁を閉状態にすることにより、逆洗サイフォン管２５との接続位置から手動弁に至る水平延在部の管路を閉状態にすることができるので、サイフォン促進管２７ａから外部に水が排出されることを抑制することができる。
原水の水質が比較的良好の場合には、開閉弁２７ａ１を開けて、サイフォン促進管２７ａの管路を開状態にし、サイフォン促進管２７ａを経由して原水を外部に排出させることを促進することにより、サイフォン促進機構２７によるエジェクタ効果を発現させて、濾過室２１ａの洗浄、より具体的には、濾層２１ａ１の洗浄を早めることができる。
また、原水の水質が比較的不良の場合には、開閉弁２７ａ１を閉じて、サイフォン促進管２７ａの管路を閉状態にし、サイフォン促進管２７ａを経由して原水が外部に排出することを阻止することにより、サイフォン促進機構２７によるエジェクタ効果を発現させずに、濾過室２１ａの洗浄、より具体的には、濾層２１ａ１の洗浄が早まることを抑制することができる。
【００３６】
開閉弁２７ａ１は、原水の水質の統計データに基づいて開閉することができる。より具体的には、統計データから原水の水質が比較的不良となる時期（例えば、原水が貯留水のときには夏場）においては開閉弁２７ａ１を閉状態にし、統計データから原水の水質が比較的良好となる時期（例えば、原水が貯留水のときには夏場以外）においては開閉弁２７ａ１を開状態にすることができる。
【００３７】
原水の水質の良否は、例えば、原水中の懸濁物質の量によって判断することができる。より具体的に説明すると、原水中の懸濁物質の量が所定の閾値以上の場合には、原水の水質が比較的不良と判断し、所定の閾値を下回る場合には、原水の水質が比較的良好と判断することができる。原水中の懸濁物質の量は、各種公知の手法で測定することができる。例えば、原水槽１０内に濁度計や粒子カウンタなどの測定装置を備えておき、該測定装置によって測定することができる。
【００３８】
また、原水の水質が比較的不良であると、原水中の懸濁物質が濾層２１ａ１に詰まり易くなり、濾層２１ａ１を逆洗する頻度が高くなる。そのため、濾層２１ａ１を逆洗する頻度によっても、原水の水質の良否を判断することができる。より具体的に説明すると、濾層２１ａ１を逆洗する頻度が所定時間内に所定回数以上の場合（例えば、２４時間内に１回以上の場合）には、原水の水質が比較的不良と判断し、所定時間内に所定回数未満の場合（例えば、２４時間内に１回未満の場合）には、原水の水質が比較的良好と判断することができる。濾層２１ａ１を逆洗する頻度は、例えば、逆洗水室２１ｃ内に水位計を備えておき、該水位計によって、逆洗水室２１ｃ内の水位が所定時間内に下がる回数をカウントすることにより測定することができる。あるいは、例えば、濾過水排出管２４の分岐管２４ａ内に流量計を備えておき、該流量計によって、分岐管２４ａ内を流れる水の流量が０になる回数をカウントすることによって測定することができる。
【００３９】
本発明は、本発明の広義の精神と範囲を逸脱することなく、様々な実施形態および変形が可能とされたものである。また、上述の実施形態は、本発明を説明するためのものであり、本発明の範囲を限定するものではない。つまり、本発明の範囲は、実施形態および実施例ではなく、特許請求の範囲によって示される。そして、特許請求の範囲内およびそれと同等の発明の意義の範囲内で施される様々な変形が、本発明の範囲内とみなされる。
【００４０】
例えば、上記実施形態においては、水処理設備１において、サイフォン促進機構２７が１本のサイフォン促進管２７ａを備える例について説明したが、サイフォン促進機構２７が備えるサイフォン促進管２７ａの数は１本に限られない。図２に示すように、サイフォン促進機構２７は、逆洗サイフォン管２５の高さの異なる位置に接続される複数本のサイフォン促進管２７ａを備え、該複数本のサイフォン促進管２７ａが管路を開閉するための開閉弁２７ａ１をそれぞれ有していてもよい。図２においては、複数のサイフォン促進管２７ａは、下方延在部を共有している。
このようにすれば、原水の水質の不良の程度に応じて、濾過室２１ａの洗浄タイミングに適したサイフォン促進管２７ａのみを開状態にし、それ以外のサイフォン促進管２７ａを閉状態にすることができる。
これにより、原水の水質に応じて、濾過室２１ａを洗浄するタイミングをより適切に切り替えることができる。
なお、原水の水質の不良の程度は、前述のように、原水中の懸濁物質の量や濾層２１ａ１を逆洗する頻度によって判断することができる。図２に示すように、水処理設備１に備えられるサイフォン促進管２７ａが複数本の場合には、原水の水質の不良の程度を判断する基準は、サイフォン促進管２７ａの本数と同数設定されてもよい。
【符号の説明】
【００４１】
１：水処理設備、１０：原水槽、２０：濾過装置、２１：槽本体（濾過槽本体）、２３：連通管、２４：濾過水排出管、２５：逆洗サイフォン管、２６：配管（サイフォンブレーカ）、２７：サイフォン促進機構、３０：原水導入管、４０：排水槽、
２１ａ：濾過室、２１ｂ：集水室、２１ｃ：逆洗水室、２４ａ：分岐管、２５ａ：頂部、２５ｂ：逆洗サイフォン管下降部、２５ｃ：逆洗サイフォン管上昇部、２６ａ：下端、２７ａ：サイフォン促進管、２７ｂ：吸込管、２７ｃ：通気管、
２１ａ１：濾層
２１ａ１ａ：濾材、２１ａ１ｂ：支持板、２１ａ１ｃ：通水部材、
Ｈ：水位差
【図１】
2018134595.tif 000003
【図２】
2018134595.tif 000004